(57)【要約】【課題】低速で太い形状の散水を行うことができるストレート吐出口を有する散水ノズルを提供する。【解決手段】水導入用の接続口と、この接続口から取り入れた水が通過する内部の流路１０と、この流路１０の先端に形成された水の吐出口５ａとを有する散水ノズル１であって、上記流路１０中に、水の一部が衝突して流速を低下させる堰部１８を設け、上記堰部１８の上流側には、上記流路１０を通過する水の一部が滞留する滞留部１９が形成されることを特徴とする。【選択図】図２
2014140831.tif 000002
【特許請求の範囲】
【請求項１】
水導入用の接続口と、この接続口から取り入れた水が通過する内部の流路と、この流路の先端に形成された水の吐出口とを有する散水ノズルであって、
上記流路中に、水の一部が衝突して流速を低下させる堰部を設け、
上記堰部の上流側には、上記流路を通過する水の一部が滞留する滞留部が形成されることを特徴とする散水ノズル。
【請求項２】
上記堰部よりも上流側の上記流路中に、水を上記堰部側へ変向する変向部材を設けたことを特徴とする請求項１記載の散水ノズル。
【発明の詳細な説明】
【技術分野】
【０００１】
本発明は、主に家庭などで園芸や農業、清掃などに用いられ、ホースを介して水道等の給水設備の先端に接続されて散水を行う散水ノズルにおいて、低速で太い形状の散水を行うための構造に関する。
【背景技術】
【０００２】
家庭においては、ホースの先端に取り付けられて任意に散水と止水とを切り換えられる散水ノズルが広く園芸、農業、清掃などに使用されている。このような散水ノズルは、ホースを介して水道等の給水設備から水の供給を受け、先端に形成した吐出口から散水を行う。
【０００３】
従来の散水ノズルは、特許文献１のように、ホースに接続される基端部から上方に延びる略筒状のグリップ部と、このグリップ部の略上端から前方に延びる略筒状のノズル部とを有しており、全体としてＬ字形、くの字形もしくはピストル形等の屈曲形状に形成されたノズル本体を有していた（図１参照）。
図８に示すように、ノズル部の先端に形成される吐出口には、一つの丸い吐出口からなるストレート吐出口５ａのほか、多数の小孔からなるシャワー吐出口、縦長の吐出口からなる扇状吐出口があり、用途に応じて吐水形状を切り換えることができた。
また、ストレート吐出口５ａの中央に水形調整芯２３を配置し、水形調整芯２３がストレート吐出口５ａに接近することにより霧状の吐水形状とすることができるものもあった。
【０００４】
従来の散水ノズルにおいて、ストレート吐出口５ａまでの流路１０は流路抵抗が小さく、水が乱流を起こさずに通過できる形状に形成され、ストレート吐出口５ａからの散水は、高速で細い吐水形状となっていた。このような吐水形状により、洗車や清掃の用途において狙った範囲の汚れを押し流すことができた。
しかし、じょうろや水差しに給水したり、鉢植えや地植えの植物に水を遣るといった園芸の用途においては、上記のように高速で細い吐水形状では水勢が強すぎて、じょうろや水差しからの水跳ねが起こったり、植物の根元の土を押し流して地面を抉ってしまったり、植物を傷めてしまったりしていた。
【０００５】
また、シャワー吐出口による散水や、複数の横長の吐出口をシャワー吐出口の外側に環状に並べてなる吐出口による散水では、散水範囲が広すぎて、給水口の小さいじょうろや水差し、鉢植えからこぼれてしまっていた。
そこで、主に園芸に使用される散水ノズルにおいては、水勢を抑えるとともに吐水量を多く確保するため、限られた面積のストレート吐出口で、低速で太い形状の散水を行うことが求められていた。
【先行技術文献】
【特許文献】
【０００６】
【特許文献１】特公平４−７７６２１号公報
【発明の概要】
【発明が解決しようとする課題】
【０００７】
しかし、散水ノズルの流路では、ストレート吐出口とシャワー吐出口等との切り換えを行う吐出切換弁の流路などの狭い箇所を水が通過する際に流速が上昇しており、ただストレート吐出口の口径を大きく形成しても、高速の水が水形調整芯にぶつかるなどして高速で乱れた吐水形状となってしまう。
【０００８】
本発明は上記問題点を解決するためになされたものであり、低速で太い形状の散水を行うことができるストレート吐出口を有する散水ノズルを提供することを課題とする。
【課題を解決するための手段】
【０００９】
本発明において、上記課題が解決される手段は以下の通りである。
第１の発明は、水導入用の接続口と、この接続口から取り入れた水が通過する内部の流路と、この流路の先端に形成された水の吐出口とを有する散水ノズルであって、上記流路中に、水の一部が衝突して流速を低下させる堰部を設け、上記堰部の上流側には、上記流路を通過する水の一部が滞留する滞留部が形成されることを特徴とする。
【００１０】
第２の発明は、上記堰部よりも上流側の上記流路中に、水を上記堰部側へ変向する変向部材を設けたことを特徴とする。
【発明の効果】
【００１１】
第１の発明によれば、上記流路中に、水の一部が衝突して流速を低下させる堰部を設け、上記堰部の上流側には、上記流路を通過する水の一部が滞留する滞留部が形成されることにより、吐出口から低速で太い散水を行うことができる。
【００１２】
第２の発明によれば、上記堰部よりも上流側の上記流路中に、水を上記堰部側へ変向する変向部材を設けたことにより、堰部に衝突する水の量を増やして、一層低速で太い散水を行うことができる。
【図面の簡単な説明】
【００１３】
【図１】本発明の第一実施形態に係る散水ノズルを示す縦断面図である。
【図２】同散水ノズルのストレート吐出口付近を示す部分拡大縦断面図である。
【図３】本発明の第二実施形態に係るストレート吐出口付近を示す縦断面図である。
【図４】本発明の第三実施形態に係るストレート吐出口付近を示す縦断面図である。
【図５】本発明の第四実施形態に係るストレート吐出口付近を示す縦断面図である。
【図６】本発明の第五実施形態に係るストレート吐出口付近を示す縦断面図である。
【図７】本発明の第六実施形態に係るストレート吐出口付近を示す縦断面図である。
【図８】従来の散水ノズルのストレート吐出口付近を示す縦断面図である。
【発明を実施するための形態】
【００１４】
以下、本発明の第一実施形態に係る散水ノズルについて説明する。
この散水ノズル１は、園芸、農業、清掃、その他の用途において、ホースを介して水道等の給水設備の先端に接続されて散水を行う器具であって、使用者が手に持って使用するものである。
【００１５】
図１に示すように、散水ノズル１は、ホース等に接続されて水を導入する接続口２を形成した基端部から上方に延びる略筒状に形成されたグリップ部３と、このグリップ部３の上端から前方に延びるとともに先端に吐出口５ａ、５ｂ、５ｃを形成したノズル部４とからなり、全体としてＬ字形、くの字形もしくはピストル形等の、グリップ部３とノズル部４の連続部位で屈曲した屈曲形状に形成されたノズル本体６を有している。
本明細書において、ノズル部４の説明における前後とはノズル部４の延在方向を意味し、前とはノズル部４の吐出口５ａ、５ｂ、５ｃ側、後ろとはグリップ部３側を意味する。また、グリップ部３の説明における上下とは、ノズル部４を地面に平行にしてグリップ部３の接続口を地面側に向けた状態での地面に対する上下を意味し、上とは地面に対して上側、すなわちノズル部４側を意味し、下とは地面側、すなわち接続口２側を意味する。
ノズル本体６の内部には、接続口２から吐出口５ａ、５ｂ、５ｃまで延在する水の流路１０が形成されている。
【００１６】
ノズル本体６は、屈曲した通水パイプ７に、ホースニップル８を接続し、外周を覆う複数のカバーを組み付けてなるが、これらのうちいくつかについて一体に成形したものであってもよい。ノズル本体６の先端には、吐水ヘッド９がネジ回りに前後動可能に取り付けられている。
【００１７】
グリップ部３は、基端部からノズル部４に向かって上方に延びる略筒状に形成され、使用者が手で把持して取り回すことができるようになっている。
グリップ部３の基端部では、ホースに取り付けられた受け具（図示せず）と連結するための凹凸やＯリングを外周面に設けるとともに、その中心に給水設備からの水を導入する接続口２を開口したホースニップル８が通水パイプ７の下方に取り付けられている。
グリップ部３の向きは、ノズル部４の延在方向に対して垂直であってもよいが、図２に示すように、その垂直な向きから傾斜して、上方にグリップ部３の延在方向とは交差する向きに延びたものであってもよい。
ノズル部４は、グリップ部３の上端から前方（ノズル部４の散水口側）に延びる略筒状に形成されている。
【００１８】
この散水ノズル１は、通水パイプ７の流路中に、通水と止水とを切り換える止水弁、および流路を通過する水の流量を増減させる流量調整弁を有している。
止水弁は流量調整弁の上流側に設けられ、通水パイプ７のグリップ部３側の流路１０に配置された止水弁体１１を有している。止水弁体１１は、通水パイプ７に内接する有蓋円筒状に形成され、蓋の上に突起状の弁体部１１ａを形成している。止水弁体１１の外周面の２箇所にはＯリング１１ｃ、１１ｃを配設して止水弁体１１の外周を水が流れないようにするとともに、Ｏリング１１ｃより上の外周面に通水口１１ｂを形成している。通水パイプ７の基端（下方）から供給された水は、止水弁体１１の内部を通過して通水口１１ｂより外周に流出し、下流へ流れるようになっている。
【００１９】
止水弁体１１の弁体部１１ａは、通水パイプ７に設けられた止水弁座７ａよりも大径に形成され、ホースニップル８と止水弁体１１との間に介在するコイルスプリング１２によって、止水弁座７ａ側に付勢されて流路１０を閉塞する（止水状態）。この付勢力に反して弁体部１１ａが止水弁座７ａから離間させられると、流路１０が開放され水が通水する（通水状態）。
【００２０】
止水弁体１１を操作するために、グリップ部３の前方には止水操作レバー１３が取り付けられている。この止水操作レバー１３は、下端を固定端としてグリップ部３の下部に取り付け、上端を自由端としているため、使用者がグリップ部３を持った手で握り込むことにより下端を固定端として前後方向に回動可能となっている。
通水パイプ７はグリップ部３側部分の前面に開口７ｂを形成している。縦断面Ｌ字状の弁開閉用アーム１４が、一端で止水操作レバー１３に当接し、他端で止水弁体１１に当接し、Ｌ字状の屈曲部分を支点として通水パイプ７に回動可能に支持されているため、使用者が止水操作レバー１３を握り込むと、弁開閉用アーム１４を介し、コイルスプリング１２の付勢力に反して止水弁体１１を止水弁座７ａから離間させ、通水状態にすることができる。
通水パイプ７の開口７ｂは常時止水弁体１１の２つのＯリング３０ｃ、３０ｃの中間に位置するため、水が開口７ｂから通水パイプ７の外側へ漏れることはない。
【００２１】
止水弁の下流側にあたる通水パイプ７の屈曲部分の流路１０中には、散水量を調整できる流量調整弁が設けられている。
流量調整弁は、流路中に配設され、回動することで水の流量を増減させる流量調整弁体１５と、この流量調整弁体１５に連動するとともにグリップ部３の後背上部から突出し、親指で左右方向に回動操作される流量操作部材１６とからなる。
流量調整弁体は、下端をグリップ部３の流路１０に常時開放している有蓋円筒状に形成されているとともに、周面に流量調整用の切り欠きを設けている。
この流量調整弁では、流量調整弁体１５に形成された切り欠きと、ノズル部４の流路１０とが合致する面積を増減させることにより、散水量の大小を調整することができる。
【００２２】
図１、図２に示すように、散水ノズル１は、ストレート吐出口５ａとシャワー吐出口５ｂと霧状吐出口５ｃとを有している。
シャワー吐出口５ｂは、吐水ヘッド９の先端のスクリーン１７に形成された多数の小孔からなる。
図２に示すように、ストレート吐出口５ａは、吐水ヘッド９のスクリーン１７の中心に形成された円形の出口である。そのため、ストレート吐出口５ａの面積は、シャワー吐出口５ｂとの関係で所定の大きさ以下に制限される。
霧状吐出口５ｃは、ノズル本体６の先端に設けられた小孔で、ストレート吐出口５ａの上流側に配置される。
【００２３】
ストレート吐出口５ａから低速で太い形状の散水を行うために、ストレート吐出口５ａのふちには、流路１０の中心側へ向けて流路方向に対して垂直に突出する堰部１８が設けられている。
これにより、堰部１８の上流側には、流路を通過する水の一部が滞留する滞留部１９が形成される。
滞留部１９と流路１０の他の部分とは、特別な間仕切りやオリフィス等で仕切られることなく連続している。
【００２４】
第一実施形態では、堰部１８の流路１０の内径Ａは１１．６ｍｍに設定されている。これに対し、堰部１８の手前の流路１０の内径Ｂは、１３．８ｍｍに設定されている。すなわち、堰部１８の流路の中心側への突出高さは、１．１ｍｍに設定されている。
Ａ、Ｂ、および堰部１８の高さは、水道水圧などの使用環境や散水ノズル１の他の部分の流路抵抗に応じて、適切な値に設定してよい。
水道水圧が０．２ＭＰａの条件下では、堰部１８の流路１０の内径Ａを５〜１００ｍｍに設定することが好ましい。
また、Ａを５ｍｍ未満にすると、流路断面積が小さくなりすぎて流速が上昇してしまう。Ａを８ｍｍ以上とすることがより好ましく、１０ｍｍ以上とすることが特に好ましい。
Ａを１００ｍｍよりも大きくすると、乱れた吐水形状が収束し難くなり、ストレート吐出口５ａからの散水開始から低速で太い水形に安定するまでに長時間がかかってしまう。Ａを５０ｍｍ以下とすることがより好ましく、１５ｍｍ以下とすることが特に好ましい。
第一実施形態では、Ａを１１．６ｍｍに設定した。
【００２５】
堰部１８の手前の流路１０の内径Ｂは、Ｂ＞Ａの範囲で、５〜１００ｍｍに設定することが好ましい。
Ｂを５ｍｍ未満にすると、流路断面積が小さくなりすぎて流速が上昇してしまう。Ｂを８ｍｍ以上とすることがより好ましく、１０ｍｍ以上とすることが特に好ましい。
また、Ｂを１００ｍｍよりも大きくすると、装置が大型化して扱いにくくなってしまう。Ｂを５０ｍｍ以下とすることがより好ましく、２０ｍｍ以下とすることが特に好ましい。
第一実施形態では、Ｂを１３．８ｍｍに設定した。
【００２６】
堰部１８の高さ１／２（Ｂ−Ａ）は、０．１〜１０ｍｍに設定することが好ましい。
堰部１８の高さを０．１ｍｍ未満にすると、堰部１８が小さすぎて、水を堰き止めて滞留部１９に充填させることができず、流速を低下させることができない。堰部を０．５ｍｍ以上にすることがより好ましく、１．０ｍｍ以上にすることが特に好ましい。
また、堰部１８の高さを１０ｍｍよりも大きくすると、滞留部に充填される水の量が多くなりすぎて乱流を生じ、散水開始から低速で太い吐水形状に安定するまでに時間がかかってしまう。堰部１８の高さを５ｍｍ以下とすることがより好ましく、３ｍｍ以下とすることが特に好ましい。
第一実施形態では、堰部１８の高さを１．１ｍｍに設定した。
【００２７】
図１に示すように、散水ノズル１には、ストレート吐出口５ａからの散水と、シャワー吐出口５ｂからの散水と、霧状吐出口５ｃからの散水とを切り換える吐出切換弁が設けられている。
流路１０はノズル本体６の切換口２０に到達し、切換口２０の下流で、シャワー吐出口５ｂに連通する外流路２２と、ストレート吐出口５ａに連通する内流路２１とに分岐している。吐水ヘッド９がノズル本体６に対してネジ回りに前後動し、内流路２１と外流路２２とのいずれかが選択的に上流側の切換口２０に接続されることで、ストレート吐出口５ａからの散水と、シャワー吐出口５ｂの散水とを切り換えることができる。
また、吐水ヘッド９を最も後退させた位置では、ノズル部４の先端と吐水ヘッド９の内壁とが当接して内流路２１を塞ぎ、水は螺旋状流路２５に入り込み、霧状吐出口５ｃから霧状に散水される（図２参照）。
【００２８】
第一実施形態の散水ノズル１において、内流路２１に水がない状態で、ストレート吐出口５ａからの散水を開始すると、流路１０を通過する水の一部が堰部１８に衝突して流速が低下し、また、乱流化して滞留部１９に滞留し、流路内壁に沿って流れ出るため、吐水形状の乱れが生じにくくなるとともに、流路抵抗によりストレート吐出口５ａから低速で太い散水を行うことができる。
水の流速が比較的高い場合には、堰部１８に衝突して乱流化した水が滞留部１９全体に溜まり、水の流速が比較的低い場合にも、流路１０の下側の滞留部１９に水が充填される。
滞留部１９に水が溜まった後は、流路１０を通過する流速の高い水が滞留部１９の滞留水に衝突したり滞留水の粘性が働いたりして、水の流速が低下し、ストレート吐出口５ａから低速で太い散水を行うことができる。
【００２９】
＜第二実施形態＞
第二実施形態では、図３に示すように、霧状吐出口５ｃを設ける代わりに、ストレート吐出口５ａの中心に、ノズル本体６先端に形成された水形調整芯２３が配置されるようになっている。
水形調整芯２３の先端には、基端側よりも太い円錐状の笠部２３ａが形成されている。笠部２３ａは、ストレート吐出口５ａよりも前方に形成される。
吐水ヘッド９を操作して後退させると、笠部２３ａがストレート吐出口５ａに接近し、水が笠部２３ａに当たって霧状に拡散される。
【００３０】
第二実施形態では、水形調整芯２３を設けているため、堰部１８の流路の内径Ａおよび堰部１８の手前の流路の内径Ｂを第一実施形態よりも大きく設定して、堰部１８の位置の流路断面積および堰部１８の手前の流路断面積が第一実施形態と等しくなるようにすることが好ましい。
堰部１８の形成位置の流路断面積Ｃは、５０〜２００ｍｍ２に設定することが好ましい。
上記流路断面積Ｃを５０ｍｍ２未満にすると、流速が上昇してしまう。上記流路断面積Ｃを７５ｍｍ２以上とすることがより好ましく、１００ｍｍ２以上とすることが特に好ましい。
また、上記流路断面積Ｃを２００ｍｍ２よりも大きくすると、流路が広すぎて、滞留部１９への水の滞留による流速の低下が不十分になってしまう。上記流路断面積Ｃを１５０ｍｍ２以下とすることがより好ましく、１２０ｍｍ２以下とすることが特に好ましい。
第二実施形態では、上記流路断面積Ｃを１１０ｍｍ２に設定した。
【００３１】
堰部１８より手前の流路１０の流路断面積Ｄは、堰部１８の形成位置の流路断面積Ｃよりも大きくなる範囲で、５０〜３００ｍｍ２に設定することが好ましい。
上記流路断面積Ｄを５０ｍｍ２未満にすると、流速が上昇してしまう。上記流路断面積Ｄを１００ｍｍ２以上とすることがより好ましく、１２５ｍｍ２以上とすることが特に好ましい。
また、上記流路断面積Ｄを３００ｍｍ２よりも大きくすると、流路が広すぎて、滞留部１９への水の滞留による流速の低下が不十分になってしまう。上記流路断面積Ｄを２００ｍｍ２以下とすることがより好ましく、１７５ｍｍ２以下とすることが特に好ましい。
第二実施形態では、上記流路断面積Ｄを１５０ｍｍ２に設定した。
【００３２】
＜第三実施形態＞
第一実施形態ではストレート吐出口５ａに堰部１８を設けたが、ストレート吐出口５ａより上流の流路１０中に堰部１８を設けてもよい。
第三実施形態では、図４に示すように、ストレート吐出口５ａよりも上流の流路１０中に、流路１０が段差状に縮径する堰部１８を設けている。
【００３３】
堰部１８より下流の流路の流路断面積Ｅは、５０〜３００ｍｍ２に設定することが好ましい。
上記流路断面積Ｅを５０ｍｍ２未満にすると、流速が上昇してしまう。上記流路断面積Ｅを１００ｍｍ２以上とすることがより好ましく、１２５ｍｍ２以上とすることが特に好ましい。
また、上記流路断面積Ｅを３００ｍｍ２よりも大きくすると、流路が広すぎて、滞留部１９への水の滞留による流速の低下が不十分になってしまう。上記流路断面積Ｅを２００ｍｍ２以下とすることがより好ましく、１７５ｍｍ２以下とすることが特に好ましい。
第三実施形態では、上記流路断面積Ｅを１５０ｍｍ２に設定した。
【００３４】
このような第三実施形態の散水ノズル１においても、ストレート吐出口５ａからの散水を開始すると、流路１０を通過する水の一部が堰部１８に衝突して乱流化し、滞留部１９に滞留するため、ストレート吐出口５ａから低速で太い散水を行うことができる。
また、滞留部１９に水が溜まった後は、流路１０を通過する流速の高い水が滞留部１９の滞留水に衝突したり滞留水の粘性が働いたりして、水の流速が低下し、ストレート吐出口５ａから低速で太い散水を行うことができる。
【００３５】
また、堰部１８をストレート吐出口５ａに設けた場合にはシャワー吐出口５ｂを設けるためストレート吐出口５ａの面積が制限され、堰部１８の形状も制限されていたのに対し、ストレート吐出口５ａよりも上流の流路１０中に堰部１８を設けたことにより、堰部１８の形状のレイアウト上の制約が小さくなり、堰部１８の高さを高く設定することができる。堰部１８の高さを高く設定すると、堰部１８に衝突する水の量および滞留部１９の滞留水の量が大きくなるため、流速を一層低下させることができる。
ただし、堰部１８を高くしすぎて流路１０の断面積を小さくしすぎると、流路１０の内径が小さくなることにより流速が次第に上昇してしまうため、適切な値を設定する必要がある。
なお、第三実施形態のようにストレート吐出口５ａよりも上流の流路１０中に堰部１８を設けるとともに、第一実施形態のようにストレート吐出口５ａのふちにも堰部１８を設けるようにしてもよい（図６参照）。
【００３６】
＜第四実施形態＞
第一実施形態では流路方向に対して垂直に突出する堰部１８を設けたが、堰部１８の突出角度は流路方向に対して９０度には限られない。
第四実施形態は、図５に示すように、ストレート吐出口５ａよりも上流の流路１０中に堰部１８を設け、この堰部１８が上流側に傾斜して突出していることを特徴とする。
流路１０と堰部１８との角度θは、４５度以上１２０度以下とするのが好ましい。
θを４５度よりも小さくすると、流路抵抗が大きくなりすぎて、乱流が発生し、ストレート吐出口５ａからの吐水形状が乱れるおそれがある。θを６０度以上にすることがより好ましく、また、装置をコンパクト化し、金型寿命を長期化し、水抜けを良くして藻の発生等を防止するためには、特に８０度以上にすることが好ましい。
θを１２０度よりも大きくすると、水が堰部１８に沿って流れるため、滞留部１９が形成されず、流速を低下させることができなくなる。θを１００度以下にすることがより好ましく、滞留部１９に水を充填して効果的に流速を低下させるためには、９０度以下にすることが特に好ましい。
【００３７】
＜第五実施形態＞
第五実施形態は、図６に示すように、堰部１８をストレート吐出口５ａよりも上流側に設けるとともに、滞留部１９を流路１０の径方向に拡張したことを特徴とする。
この第五実施形態では、堰部１８の上流側の直近において、流路１０の周壁を径方向外側に膨出させたことにより、滞留部１９となる流路１０が拡張されている。これに伴い、堰部１８の面積も大きくなっている。
これにより、堰部１８に衝突する水の量および滞留部１９の滞留水の量が大きくなるため、流速を一層低下させることができる。
【００３８】
＜第六実施形態＞
第六実施形態は、図７に示すように、水形調整芯２３を設けるとともに、水形調整芯２３に変向部材２４を設けたことを特徴とする。
この散水ノズル１では、水形調整芯２３の中間位置から、環状の変向部材２４が流路１０に対して垂直な径方向に突設されている。また、この変向部材２４は、ストレート吐出口からの散水時において堰部１８および滞留部１９よりも上流の流路１０中に配置される。
【００３９】
ストレート吐出口５ａからの散水を開始すると、水は流路１０を通過する際に変向部材２４にぶつかることにより、堰部１８へと向きを変えられる。そのため、堰部１８に衝突する水の量が増し、堰部１８に衝突することによる流速の低下率および滞留部１９の滞留水に衝突することによる流速の低下率をより向上させることができる。
【００４０】
変向部材２４の突出高さは、高いほど多くの水の向きを変える効果があるが、高く設定しすぎて流路断面積が小さくなりすぎると流速が上昇してしまう。そのため、変向部材２４の形成位置の流路断面積Ｆが、変向部材２４より上流の流路１０で最も流路断面積が小さい位置の流路断面積よりも大きくなるように、変向部材２４の高さを制限することが好ましい。
【００４１】
変向部材２４の形成位置の流路断面積Ｆは、５０〜３００ｍｍ２に設定することが好ましい。
上記流路断面積Ｆを５０ｍｍ２未満にすると、流速が上昇してしまう。上記流路断面積Ｆを１００ｍｍ２以上とすることがより好ましく、１２５ｍｍ２以上とすることが特に好ましい。
また、上記流路断面積Ｆを３００ｍｍ２よりも大きくすると、流路が広すぎて、滞留部１９への水の滞留による流速の低下が不十分になってしまう。上記流路断面積Ｆを２００ｍｍ２以下とすることがより好ましく、１７５ｍｍ２以下とすることが特に好ましい。
第二実施形態では、上記流路断面積Ｆを１５０ｍｍ２に設定した。
【符号の説明】
【００４２】
１  散水ノズル
２  接続口
３  グリップ部
４  ノズル部
５ａ  ストレート吐出口
５ｂ  シャワー吐出口
５ｃ  霧状吐出口
６  ノズル本体
７  通水パイプ
７ａ  止水弁座
７ｂ  開口
８  ホースニップル
９  吐水ヘッド
１０  流路
１１  止水弁体
１１ａ  弁体部
１１ｂ  通水口
１１ｃ  Ｏリング
１２  コイルスプリング
１３  止水操作レバー
１４  弁開閉用アーム
１５  流量調整弁体
１６  流量操作部材
１７  スクリーン
１８  堰部
１９  滞留部
２０  切換口
２１  内流路
２２  外流路
２３  水形調整芯
２３ａ  笠部
２４  変向部材
２５  螺旋状流路
【図１】
2014140831.tif 000003
【図２】
2014140831.tif 000004
【図３】
2014140831.tif 000005
【図４】
2014140831.tif 000006
【図５】
2014140831.tif 000007
【図６】
2014140831.tif 000008
【図７】
2014140831.tif 000009
【図８】
2014140831.tif 000010